【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
航空機客室騒音を見積もる方法であって：
航空機客室騒音分析に関するリクエストであり、かつ第１飛行ミッションに関連する複数の飛行パラメータを含む第１リクエストをプロセッサ内に受信するステップ（２１０）と；
該プロセッサに連結されたコンピュータ可読メモリから、前記第１飛行ミッションに対応する前記複数の飛行パラメータに関連する複数の騒音パラメータを取り出すステップ（２１５）と；
前記第１飛行ミッションに関連する合計騒音曝露量パラメータを該プロセッサ内で求めるステップ（２２０）と；
該プロセッサ中で、前記合計騒音曝露量を含む出力をユーザインターフェース（１４０）で行なうステップ（２２５）と；
前記合計騒音曝露量が閾値を超える場合に、警告を該プロセッサに連結されたユーザインターフェース上で発するステップ（２４０）と、
前記飛行ミッションパラメータ群及び前記合計騒音曝露量パラメータを、固有職員識別情報に該プロセッサ内に関連付けるステップと；
前記飛行ミッションパラメータ群、前記合計騒音曝露量パラメータ、及び前記固有職員識別情報を該プロセッサに連結されたコンピュータ可読メモリに格納するステップと、
を含む、方法。
【請求項２】
航空機客室騒音分析に関する第１リクエストを受信する前記ステップは：
乗務員表示；
複数の飛行小区間；
前記複数の飛行小区間の各飛行小区間に関連する飛行パラメータ；
前記複数の飛行小区間の各飛行小区間に関連する時間パラメータ；及び
前記複数の飛行小区間の各飛行小区間に関連する速度パラメータ、
のうちの少なくとも１つを含むリクエストを受信するステップを含む、
請求項１に記載の方法。
【請求項３】
コンピュータ可読メモリから、前記飛行ミッションに対応する前記複数の飛行パラメータに関連する複数の騒音パラメータを取り出す前記ステップは、前記飛行パラメータ群に対応する騒音曝露レベルを取り出すステップを含む、請求項１に記載の方法。
【請求項４】
前記飛行ミッションに関連する合計騒音曝露量パラメータを求める前記ステップは、前記飛行ミッションに対応する時間重み付け平均騒音曝露量パラメータを求めるステップを含む、請求項１に記載の方法。
【請求項５】
前記飛行ミッションに関連する合計騒音曝露量パラメータを求める前記ステップは、調整係数を、前記複数の騒音パラメータのうちの少なくとも１つの騒音パラメータに適用するステップを含む、請求項１に記載の方法。
【請求項６】
更に：
航空機客室騒音分析に関する第２リクエストを受信するステップであって、該第２リクエストが、第２飛行ミッションに関連する複数の飛行パラメータを含み、かつ前記固有職員識別情報に関連付けられる、前記受信するステップと；
コンピュータ可読メモリから、前記第２飛行ミッションに対応する前記複数の飛行パラメータに関連する複数の騒音パラメータを取り出すステップと；
前記第２飛行ミッションに関連する合計騒音曝露量パラメータを求めるステップと；
前記第１飛行ミッション及び前記第２飛行ミッションに起因する前記合計騒音曝露量を含む出力をユーザインターフェースで行なうステップと；
前記第１飛行ミッション及び前記第２飛行ミッションに起因する前記合計騒音曝露量が閾値を超える場合に、警告をユーザインターフェース上で発するステップと、
を含む、請求項１に記載の方法。
【請求項７】
航空機客室騒音を見積もるシステムであって：
プロセッサ（１２２２）と；
論理命令群を含むコンピュータ可読メモリモジュール（１２３０）と、を備え、前記論理命令群が前記プロセッサ（１２２２）によって実行されると、前記論理命令群によって前記プロセッサが：
航空機客室騒音分析に関するリクエストであり、かつ第１飛行ミッションに関連する複数の飛行パラメータを含む第１リクエストを受信し（２１０）；
コンピュータ可読メモリから、前記第１飛行ミッションに対応する前記複数の飛行パラメータに関連する複数の騒音パラメータを取り出し（２１５）；
前記第１飛行ミッションに関連する合計騒音曝露量パラメータを求め（２２０）；
前記合計騒音曝露量を含む出力をユーザインターフェース（１４０）で行ない（２２５）；    
前記合計騒音曝露量が閾値を超える場合に、警告をユーザインターフェース上で発し（２４０）、
前記飛行ミッションパラメータ群及び前記合計騒音曝露量パラメータを、固有職員識別情報に関連付け；そして
前記飛行ミッションパラメータ群、前記合計騒音曝露量パラメータ、及び前記固有職員識別情報をコンピュータ可読メモリに格納するように前記プロセッサを構成する、システム。
【請求項８】
航空機客室騒音分析に関する前記第１リクエストは：
乗務員表示；
複数の飛行小区間；
前記複数の飛行小区間の各飛行小区間に関連する飛行パラメータ；
前記複数の飛行小区間の各飛行小区間に関連する時間パラメータ；及び
前記複数の飛行小区間の各飛行小区間に関連する速度パラメータ、
のうちの少なくとも１つを含む、
請求項７に記載のシステム。
【請求項９】
更に、論理命令群を備え、前記論理命令群が実行されると、前記論理命令群によって前記プロセッサが、前記飛行パラメータ群に対応する騒音曝露レベルを取り出すように前記プロセッサを構成する、請求項７に記載のシステム。
【請求項１０】
更に、論理命令群を備え、前記論理命令群が実行されると、前記論理命令群によって前記プロセッサが、前記飛行ミッションに対応する時間重み付け平均騒音曝露量パラメータを求めるように前記プロセッサを構成する、請求項７に記載のシステム。
【請求項１１】
更に、論理命令群を備え、前記論理命令群が実行されると、前記論理命令群によって前記プロセッサが、調整係数を、前記複数の騒音パラメータのうちの少なくとも１つの騒音パラメータに適用するように前記プロセッサを構成する、請求項７に記載のシステム。
【請求項１２】
更に、論理命令群を備え、前記論理命令群が実行されると、前記論理命令群によって前記プロセッサが：
航空機客室騒音分析に関するリクエストであり、かつ第２飛行ミッションに関連する複数の飛行パラメータを含み、更に前記固有職員識別情報に関連付けられる第２リクエストを受信し；
コンピュータ可読メモリから、前記第２飛行ミッションに対応する前記複数の飛行パラメータに関連する複数の騒音パラメータを取り出し；
前記第２飛行ミッションに関連する合計騒音曝露量パラメータを求め；そして
前記第１飛行ミッション及び前記第２飛行ミッションに起因する前記合計騒音曝露量を含む出力をユーザインターフェースで行ない；そして
前記第１飛行ミッション及び前記第２飛行ミッションに起因する前記合計騒音曝露量が閾値を超える場合に、警告をユーザインターフェース上で発するように前記プロセッサを構成する、請求項７に記載のシステム。
【請求項１３】
コンピュータによって実行される論理命令群を備えるコンピュータプログラムであって、
前記論理命令群が実行されると、前記論理命令群によってプロセッサが航空機客室騒音を、操作群を実行することにより見積もるように前記プロセッサを構成し、前記操作群は：
航空機客室騒音分析に関するリクエストであり、かつ第１飛行ミッションに関連する複数の飛行パラメータを含む第１リクエストを受信するステップ（２１０）と；
コンピュータ可読メモリから、前記第１飛行ミッションに対応する前記複数の飛行パラメータに関連する複数の騒音パラメータを取り出すステップ（２１５）と；
前記第１飛行ミッションに関連する合計騒音曝露量パラメータを求めるステップ（２２０）と；
前記合計騒音曝露量を含む出力をユーザインターフェースで行なうステップ（２２５）と；
前記合計騒音曝露量が閾値を超える場合に、警告をユーザインターフェース上で発するステップ（２４０）と、
前記飛行ミッションパラメータ群及び前記合計騒音曝露量パラメータを、固有職員識別情報に関連付けるステップと；
前記飛行ミッションパラメータ群、前記合計騒音曝露量パラメータ、及び前記固有職員識別情報をコンピュータ可読メモリに格納するステップと、
を含む、コンピュータプログラム。
【請求項１４】
航空機客室騒音分析に関する第１リクエストを受信する前記ステップは：
乗務員表示；
複数の飛行小区間；
前記複数の飛行小区間の各飛行小区間に関連する飛行パラメータ；
前記複数の飛行小区間の各飛行小区間に関連する時間パラメータ；及び
前記複数の飛行小区間の各飛行小区間に関連する速度パラメータ、
のうちの少なくとも１つを含むリクエストを受信するステップを含む、
請求項１３に記載のコンピュータプログラム。
【請求項１５】
コンピュータ可読メモリから、前記飛行ミッションに対応する前記複数の飛行パラメータに関連する複数の騒音パラメータを取り出す前記ステップは、前記飛行パラメータ群に対応する騒音曝露レベルを取り出すステップを含む、請求項１３に記載のコンピュータプログラム。
【請求項１６】
前記飛行ミッションに関連する合計騒音曝露量パラメータを求める前記ステップは、前記飛行ミッションに対応する時間重み付け平均騒音曝露量パラメータを求めるステップを含む、請求項１３に記載のコンピュータプログラム。
【請求項１７】
前記飛行ミッションに関連する合計騒音曝露量パラメータを求める前記ステップは、調整係数を、前記複数の騒音パラメータのうちの少なくとも１つの騒音パラメータに適用するステップを含む、請求項１３に記載のコンピュータプログラム。
【請求項１８】
更に：
航空機客室騒音分析に関する第２リクエストを受信するステップであって、該第２リクエストが、第２飛行ミッションに関連する複数の飛行パラメータを含み、かつ前記固有職員識別情報に関連付けられる、前記受信するステップと；
コンピュータ可読メモリから、前記第２飛行ミッションに対応する前記複数の飛行パラメータに関連する複数の騒音パラメータを取り出すステップと；
前記第２飛行ミッションに関連する合計騒音曝露量パラメータを求めるステップと；
前記第１飛行ミッション及び前記第２飛行ミッションに起因する前記合計騒音曝露量を含む出力をユーザインターフェースで行なうステップと；
前記第１飛行ミッション及び前記第２飛行ミッションに起因する前記合計騒音曝露量が閾値を超える場合に、警告をユーザインターフェース上で発するステップと、を含む、請求項１３に記載のコンピュータプログラム。
【手続補正２】
【補正対象書類名】明細書
【補正対象項目名】００４９
【補正方法】変更
【補正の内容】
【００４９】
種々の実施形態について説明してきたが、この技術分野の当業者であれば、変形又は変更を、本開示から逸脱しない限り加え得ることが理解できるであろう。これらの例は、種々の実施形態を例示しているのであり、本開示を限定するものではない。従って、記載及び請求項は、関連する先行技術を考慮して必要となる限定のみが付加されて寛大に解釈されるべきである。
また、本願は以下に記載する態様を含む。
（態様１）
航空機客室騒音を見積もるコンピュータ利用方法であって：
航空機客室騒音分析に関するリクエストであり、かつ第１飛行ミッションに関連する複数の飛行パラメータを含む第１リクエストを受信するステップ（２１０）と；
コンピュータ可読メモリから、前記第１飛行ミッションに対応する前記複数の飛行パラメータに関連する複数の騒音パラメータを取り出すステップ（２１５）と；
前記第１飛行ミッションに関連する合計騒音曝露量パラメータを求めるステップ（２２０）と；
前記合計騒音曝露量を含む出力をユーザインターフェース（１４０）で行なうステップ（２２５）と；
前記合計騒音曝露量が閾値を超える場合に、警告をユーザインターフェース上で発するステップ（２４０）と、
を含む、コンピュータ利用方法。
（態様２）
航空機客室騒音分析に関する第１リクエストを受信する前記ステップは：
乗務員表示；
複数の飛行小区間；
前記複数の飛行小区間の各飛行小区間に関連する飛行パラメータ；
前記複数の飛行小区間の各飛行小区間に関連する時間パラメータ；及び
前記複数の飛行小区間の各飛行小区間に関連する速度パラメータ、
のうちの少なくとも１つを含むリクエストを受信するステップを含む、
態様１に記載の方法。
（態様３）
コンピュータ可読メモリから、前記飛行ミッションに対応する前記複数の飛行パラメータに関連する複数の騒音パラメータを取り出す前記ステップは、前記飛行パラメータ群に対応する騒音曝露レベルを取り出すステップを含む、態様１に記載の方法。
（態様４）
前記飛行ミッションに関連する合計騒音曝露量パラメータを求める前記ステップは、前記飛行ミッションに対応する時間重み付け平均騒音曝露量パラメータを求めるステップを含む、態様１に記載の方法。
（態様５）
前記飛行ミッションに関連する合計騒音曝露量パラメータを求める前記ステップは、調整係数を、前記複数の騒音パラメータのうちの少なくとも１つの騒音パラメータに適用するステップを含む、態様１に記載の方法。
（態様６）
更に：
前記飛行ミッションパラメータ群及び前記合計騒音曝露量パラメータを、固有職員識別情報に関連付けるステップと；
前記飛行ミッションパラメータ群、前記合計騒音曝露量パラメータ、及び前記固有職員識別情報をコンピュータ可読メモリに格納するステップと、
を含む、態様１に記載の方法。
（態様７）
更に：
航空機客室騒音分析に関する第２リクエストを受信するステップであって、該第２リクエストが、第２飛行ミッションに関連する複数の飛行パラメータを含み、かつ前記固有職員識別情報に関連付けられる、前記受信するステップと；
コンピュータ可読メモリから、前記第２飛行ミッションに対応する前記複数の飛行パラメータに関連する複数の騒音パラメータを取り出すステップと；
前記第２飛行ミッションに関連する合計騒音曝露量パラメータを求めるステップと；
前記第１飛行ミッション及び前記第２飛行ミッションに起因する前記合計騒音曝露量を含む出力をユーザインターフェースで行なうステップと；
前記第１飛行ミッション及び前記第２飛行ミッションに起因する前記合計騒音曝露量が閾値を超える場合に、警告をユーザインターフェース上で発するステップと、
を含む、態様６に記載の方法。
（態様８）
航空機客室騒音を見積もるコンピュータ利用システムであって：
プロセッサ（１２２２）と；
論理命令群を含むコンピュータ可読メモリモジュール（１２３０）と、を備え、前記論理命令群が前記プロセッサ（１２２２）によって実行されると、前記論理命令群によって前記プロセッサが：
航空機客室騒音分析に関するリクエストであり、かつ第１飛行ミッションに関連する複数の飛行パラメータを含む第１リクエストを受信し（２１０）；
コンピュータ可読メモリから、前記第１飛行ミッションに対応する前記複数の飛行パラメータに関連する複数の騒音パラメータを取り出し（２１５）；
前記第１飛行ミッションに関連する合計騒音曝露量パラメータを求め（２２０）；
前記合計騒音曝露量を含む出力をユーザインターフェース（１４０）で行ない（２２５）；そして
前記合計騒音曝露量が閾値を超える場合に、警告をユーザインターフェース上で発する（２４０）ように前記プロセッサを構成する、
コンピュータ利用システム。
（態様９）
航空機客室騒音分析に関する前記第１リクエストは：
乗務員表示；
複数の飛行小区間；
前記複数の飛行小区間の各飛行小区間に関連する飛行パラメータ；
前記複数の飛行小区間の各飛行小区間に関連する時間パラメータ；及び
前記複数の飛行小区間の各飛行小区間に関連する速度パラメータ、
のうちの少なくとも１つを含む、
態様８に記載のコンピュータ利用システム。
（態様１０）
更に、論理命令群を備え、前記論理命令群が実行されると、前記論理命令群によって前記プロセッサが、前記飛行パラメータ群に対応する騒音曝露レベルを取り出すように前記プロセッサを構成する、態様８に記載のコンピュータ利用システム。
（態様１１）
更に、論理命令群を備え、前記論理命令群が実行されると、前記論理命令群によって前記プロセッサが、前記飛行ミッションに対応する時間重み付け平均騒音曝露量パラメータを求めるように前記プロセッサを構成する、態様８に記載のコンピュータ利用システム。
（態様１２）
更に、論理命令群を備え、前記論理命令群が実行されると、前記論理命令群によって前記プロセッサが、調整係数を、前記複数の騒音パラメータのうちの少なくとも１つの騒音パラメータに適用するように前記プロセッサを構成する、態様８に記載のコンピュータ利用システム。
（態様１３）
更に、論理命令群を備え、前記論理命令群が実行されると、前記論理命令群によって前記プロセッサが：
前記飛行ミッションパラメータ群及び前記合計騒音曝露量パラメータを、固有職員識別情報に関連付け；そして
前記飛行ミッションパラメータ群、前記合計騒音曝露量パラメータ、及び前記固有職員識別情報をコンピュータ可読メモリに格納するように前記プロセッサを構成する、態様８に記載のコンピュータ利用システム。
（態様１４）
更に、論理命令群を備え、前記論理命令群が実行されると、前記論理命令群によって前記プロセッサが：
航空機客室騒音分析に関するリクエストであり、かつ第２飛行ミッションに関連する複数の飛行パラメータを含み、更に前記固有職員識別情報に関連付けられる第２リクエストを受信し；
コンピュータ可読メモリから、前記第２飛行ミッションに対応する前記複数の飛行パラメータに関連する複数の騒音パラメータを取り出し；
前記第２飛行ミッションに関連する合計騒音曝露量パラメータを求め；そして
前記第１飛行ミッション及び前記第２飛行ミッションに起因する前記合計騒音曝露量を含む出力をユーザインターフェースで行ない；そして
前記第１飛行ミッション及び前記第２飛行ミッションに起因する前記合計騒音曝露量が閾値を超える場合に、警告をユーザインターフェース上で発するように前記プロセッサを構成する、態様８に記載のコンピュータ利用システム。
（態様１５）
コンピュータ可読媒体に格納された論理命令群を備えるコンピュータプログラム製品であって、前記論理命令群が実行されると、前記論理命令群によってプロセッサが航空機客室騒音を、操作群を実行することにより見積もるように前記プロセッサを構成し、前記操作群は：
航空機客室騒音分析に関するリクエストであり、かつ第１飛行ミッションに関連する複数の飛行パラメータを含む第１リクエストを受信するステップ（２１０）と；
コンピュータ可読メモリから、前記第１飛行ミッションに対応する前記複数の飛行パラメータに関連する複数の騒音パラメータを取り出すステップ（２１５）と；
前記第１飛行ミッションに関連する合計騒音曝露量パラメータを求めるステップ（２２０）と；
前記合計騒音曝露量を含む出力をユーザインターフェースで行なうステップ（２２５）と；
前記合計騒音曝露量が閾値を超える場合に、警告をユーザインターフェース上で発するステップ（２４０）と、
を含む、コンピュータプログラム製品。
（態様１６）
航空機客室騒音分析に関する第１リクエストを受信する前記ステップは：
乗務員表示；
複数の飛行小区間；
前記複数の飛行小区間の各飛行小区間に関連する飛行パラメータ；
前記複数の飛行小区間の各飛行小区間に関連する時間パラメータ；及び
前記複数の飛行小区間の各飛行小区間に関連する速度パラメータ、
のうちの少なくとも１つを含むリクエストを受信するステップを含む、
態様１５に記載のコンピュータプログラム製品。
（態様１７）
コンピュータ可読メモリから、前記飛行ミッションに対応する前記複数の飛行パラメータに関連する複数の騒音パラメータを取り出す前記ステップは、前記飛行パラメータ群に対応する騒音曝露レベルを取り出すステップを含む、態様１５に記載のコンピュータプログラム製品。
（態様１８）
前記飛行ミッションに関連する合計騒音曝露量パラメータを求める前記ステップは、前記飛行ミッションに対応する時間重み付け平均騒音曝露量パラメータを求めるステップを含む、態様１５に記載のコンピュータプログラム製品。
（態様１９）
前記飛行ミッションに関連する合計騒音曝露量パラメータを求める前記ステップは、調整係数を、前記複数の騒音パラメータのうちの少なくとも１つの騒音パラメータに適用するステップを含む、態様１５に記載のコンピュータプログラム製品。
（態様２０）
更に：
前記飛行ミッションパラメータ群及び前記合計騒音曝露量パラメータを、固有職員識別情報に関連付けるステップと；
前記飛行ミッションパラメータ群、前記合計騒音曝露量パラメータ、及び前記固有職員識別情報をコンピュータ可読メモリに格納するステップと、
を含む、態様１５に記載のコンピュータプログラム製品。